(57)【要約】      （修正有）【課題】微量の液体であっても、効率よく採取することができる液体採取装置を提供する。また、微量の液体であっても、当該液体中に含まれる所定の成分を検出することができる測定装置を提供する。【解決手段】液体採取装置１０は、液体を採取する採取部１と、前記採取部１を冷却する冷却部２とを備えることを特徴とする。冷却部２は、採取部１を覆うものである。冷却部２と採取部１とは分離可能であり、冷却部２が取り換え可能に構成されている。冷却部２は、溶解熱が負の値である材料２１を含み、前記材料２１と、前記材料を溶解する溶媒とが接触することにより、採取部１を冷却するように構成されている。【選択図】図１
2017187358.tif 000002
【特許請求の範囲】
【請求項１】
液体を採取する採取部と、
前記採取部を冷却する冷却部とを備えることを特徴とする液体採取装置。
【請求項２】
前記冷却部は、前記採取部を覆うものである請求項１に記載の液体採取装置。
【請求項３】
前記冷却部と前記採取部とは分離可能であり、前記冷却部が取り換え可能に構成されている請求項１または２に記載の液体採取装置。
【請求項４】
前記冷却部は、溶解熱が負の値である材料を含み、
前記材料と、前記材料を溶解する溶媒とが接触することにより、前記採取部を冷却するように構成されている請求項１ないし３のいずれか１項に記載の液体採取装置。
【請求項５】
前記冷却部は、前記溶媒を内包するカプセルを含むものである請求項４に記載の液体採取装置。
【請求項６】
液体採取装置は、前記採取部を被着体に設置する機能を有する粘着部材を備えるものである請求項１ないし５のいずれか１項に記載の液体採取装置。
【請求項７】
前記冷却部は、前記粘着部材により固定されているものである請求項６に記載の液体採取装置。
【請求項８】
前記粘着部材は、テープ状をなすものである請求項６または７に記載の液体採取装置。
【請求項９】
前記採取部は、液体採取装置が前記被着体に装着されることで密閉される構成である請求項１ないし８のいずれか１項に記載の液体採取装置。
【請求項１０】
前記液体に含まれる所定の成分に応答する応答部が設けられている請求項１ないし９のいずれか１項に記載の液体採取装置。
【請求項１１】
前記応答部は、前記液体に含まれる所定の成分による刺激により膨張または収縮する刺激応答性ゲルを含むものである請求項１０に記載の液体採取装置。
【請求項１２】
前記採取部は、親水性を有している請求項１ないし１１のいずれか１項に記載の液体採取装置。
【請求項１３】
液体を採取する採取部、前記採取部を冷却する冷却部、および、前記液体に含まれる所定の成分に応答する応答部を備える液体採取装置と、
前記応答部の変化をデータ信号に変換して出力する変換部と、
前記変換部が出力する前記データ信号から前記液体に含まれる前記所定の成分の量を演算する演算部と、
前記演算部での演算結果を表示する表示部とを備えることを特徴とする測定装置。
【発明の詳細な説明】
【技術分野】
【０００１】
本発明は、液体採取装置および測定装置に関する。
【背景技術】
【０００２】
現在、生体情報を取得する方法として、採血により得られた血液中の組成を調べる生化学検査が通常行われている。この検査は、医療機関にて実施されることがほとんどである。
【０００３】
そのなかで、血糖値センサーは、糖尿病患者に普及しており、また簡易乳酸センサーは、アスリートに普及しつつある。
【０００４】
しかし、これらは、いずれも採血による侵襲的手法を用いた検査手法である。
これに対し、非侵襲的手法を適用したものとして、汗中成分を対象とするセンサー研究が行われている。
【０００５】
汗を回収（採取）するための装置（汗回収装置）としては、例えば、特許文献１に記載のものがある。
【０００６】
この汗回収装置では、発汗促進部と、汗回収部が同一チップ上に形成されており、発汗促進部によって発汗が促された後、汗回収部を発汗が促進された部位にスライドさせることにより、汗の回収（採取）を行うように構成されている。
しかしながら、上記のような汗回収装置では、以下のような問題がある。
【０００７】
すなわち、上記のような汗回収装置では、皮膚（液体の供給源）上を、発汗促進部、汗回収部がスライドするため、汗の飛散、回収率の低下等の問題を生じるとともに、汗回収装置（液体採取装置）の構造が複雑化する。
【０００８】
また、汗（液体）の一部が気化することにより、液体の回収率が低下するという問題があった。このような問題は、汗（液体）の量が少量である場合に、より顕著に発生し、汗（液体）の回収、汗中成分の検出が、実質的に不可能である場合もあった。
【先行技術文献】
【特許文献】
【０００９】
【特許文献１】特開２００９−２４７４４０号公報
【発明の概要】
【発明が解決しようとする課題】
【００１０】
微量の液体であっても、効率よく採取することができる液体採取装置を提供すること、また、微量の液体であっても、当該液体中に含まれる所定の成分を検出することができる測定装置を提供することにある。
【課題を解決するための手段】
【００１１】
本発明の一適用例に係る液体採取装置は、液体を採取する採取部と、
前記採取部を冷却する冷却部とを備えることを特徴とする。
【００１２】
これにより、微量の液体であっても、効率よく採取することができる液体採取装置を提供することができる。
【００１３】
本適用例の液体採取装置では、前記冷却部は、前記採取部を覆うものであることが好ましい。
【００１４】
これにより、より効率よく採取部を冷却することができ、より微量の液体であっても、効率よく採取することができる。
【００１５】
本適用例の液体採取装置では、前記冷却部と前記採取部とは分離可能であり、前記冷却部が取り換え可能に構成されていることが好ましい。
【００１６】
これにより、採取部の冷却効率を優れたものとしつつ、液体採取装置の採算コストを抑制することができ、また、液体採取装置の長寿命化を図ることができる。
【００１７】
本適用例の液体採取装置では、前記冷却部は、溶解熱が負の値である材料を含み、
前記材料と、前記材料を溶解する溶媒とが接触することにより、前記採取部を冷却するように構成されていることが好ましい。
【００１８】
これにより、より簡易な構成で、採取部をより効率よく冷却することができる。また、液体採取装置の小型化を図る上でも有利である。また、溶解熱が負の値である材料は、一般に安価であるため、液体採取装置の生産コストを低減させる上でも有利である。また、溶解熱が負の値である材料は、溶媒と接触した後（溶媒に溶解した後）であっても、溶媒を除去することにより、容易に再利用が可能であり、省資源の観点からも好ましい。
【００１９】
本適用例の液体採取装置では、前記冷却部は、前記溶媒を内包するカプセルを含むものであることが好ましい。
【００２０】
これにより、必要時において、速やかにかつ効率よく冷却部による採取部の冷却を行うことができる。また、外部からの溶剤の供給を不要とすることができ、冷却部の内部への溶媒の侵入を防止、抑制した構造（例えば、防水、防湿構造等）にすることができ、液体採取装置の使用時に冷却部の冷却機能が十分に発揮されなくなるといった問題の発生をより効果的に防止、抑制することができる。また、破壊するカプセルの量（割合）を調整することにより、冷却温度、冷却時間の調整を行ったり、冷却部による冷却を複数回に分けて行ったりすることができる。
【００２１】
本適用例の液体採取装置は、前記採取部を被着体に設置する機能を有する粘着部材を備えるものであることが好ましい。
【００２２】
これにより、簡易な構成で、液体採取装置を被着体に密着させることができ、液体の採取の効率をより優れたものとすることができる。また、被着体への負担を抑制しつつ、より好適に液体採取装置を被着体に密着させることができる。
【００２３】
本適用例の液体採取装置では、前記冷却部は、前記粘着部材により固定されているものであることが好ましい。
【００２４】
これにより、冷却部による採取部の冷却をより安定的に行うことができる。また、例えば、液体採取装置からの冷却部の取り外し、冷却部の取り換え作業をより容易に行うことができる。
【００２５】
本適用例の液体採取装置では、前記粘着部材は、テープ状をなすものであることが好ましい。
【００２６】
これにより、液体採取装置の被着体への装着をより容易に行うことができ、被着体への液体採取装置の密着性をより優れたものとすることができる。また、例えば、液体採取装置からの冷却部の取り外し、冷却部の取り換え作業をさらに容易に行うことができる。
【００２７】
本適用例の液体採取装置では、前記採取部は、液体採取装置が前記被着体に装着されることで密閉される構成であることが好ましい。
【００２８】
これにより、液体がより微量である場合であっても、効果的に採取することができる。また、採取すべき液体中における特定成分の含有率をより適切に求めることができる。
【００２９】
本適用例の液体採取装置では、前記液体に含まれる所定の成分に応答する応答部が設けられていることが好ましい。
【００３０】
これにより、液体中に含まれる所定の成分（特定成分）の検出等を好適に行うことができる。特に、液体採取装置の内部に導かれた液体を液体採取装置の外部に移動させることなく、液体採取装置の内部において特定成分の検出等を好適に行うことができる。
【００３１】
本適用例の液体採取装置では、前記応答部は、前記液体に含まれる所定の成分による刺激により膨張または収縮する刺激応答性ゲルを含むものであることが好ましい。
【００３２】
これにより、液体中に含まれる所定の成分（特定成分）の検出精度を優れたものとしつつ、液体採取装置の構成が大型化、複雑化するのを効果的に抑制することができる。
【００３３】
本適用例の液体採取装置では、前記採取部は、親水性を有していることが好ましい。
これにより、液体がより微量である場合であっても、効果的に採取することができる。
【００３４】
本適用例の測定装置は、液体を採取する採取部、前記採取部を冷却する冷却部、および、前記液体に含まれる所定の成分に応答する応答部を備える液体採取装置と、
前記応答部の変化をデータ信号に変換して出力する変換部と、
前記変換部が出力する前記データ信号から前記液体に含まれる前記所定の成分の量を演算する演算部と、
前記演算部での演算結果を表示する表示部とを備えることを特徴とする。
【００３５】
これにより、微量の液体であっても、当該液体中に含まれる所定の成分を検出することができる測定装置を提供することができる。
【図面の簡単な説明】
【００３６】
【図１】第１実施形態に係る液体採取装置の構成を模式的に示す縦断面図である。
【図２】図１に示す液体採取装置の平面図である。
【図３】第２実施形態に係る液体採取装置の構成を模式的に示す縦断面図である。
【図４】第３実施形態に係る液体採取装置の構成を模式的に示す縦断面図である。
【図５】第１実施形態に係る測定装置の構成を模式的に示す縦断面図である。
【図６】図５に示す測定装置の概略の回路構成を示す図である。
【図７】第２実施形態に係る測定装置の構成を模式的に示す縦断面図である。
【図８】図７に示す測定装置の概略の回路構成を示す図である。
【発明を実施するための形態】
【００３７】
以下、添付する図面を参照しつつ、好適な実施形態について詳細な説明をする。
《液体採取装置》
まず、液体採取装置について説明する。
【００３８】
［第１実施形態］
図１は、第１実施形態に係る液体採取装置の構成を模式的に示す縦断面図、図２は、図１に示す液体採取装置の平面図である。
【００３９】
なお、説明の便宜上、以降では、液体採取装置１０において、被着体Ｓの表面での法線方向のうち、被着体Ｓから液体採取装置１０に向かう方向（図１での上方向）を上方向、液体採取装置１０から被着体Ｓに向かう方向（図１での下方向）を下方向として説明する。
【００４０】
液体採取装置１０は、液体を採取する機能を有するものである。
図示のように、本実施形態の液体採取装置１０は、液体を採取する採取部１と、採取部１を冷却する冷却部２とを備えている。
【００４１】
これにより、採取部１で採取された液体が気化することを抑制したり、採取された液体が気化（蒸発）して気体になった場合であっても、当該気体を凝縮したりして、液体として好適に採取することができる。その結果、採取すべき液体が微量である場合であっても、効率よく液体を採取することができる。また、液体が気化した場合、揮発成分のみが蒸発し、固形分が残存するため、採取した液体中における所定の成分（特定成分）の濃度（含有率）を適切に求めることが困難であるが、液体の気化を抑制したり、いったん気化した液体を凝縮させたりすること（再度液化させること）により、採取すべき液体中における特定成分の含有率を適切に求めることができる。
【００４２】
＜採取部＞
採取部１は、液体を採取する部位である。
【００４３】
特に、液体採取装置１０が、後に詳述するように、採取した液体を収容する収容部（保持部）３を有するものである場合や、前記液体に含まれる所定の成分に応答する応答部４を有するものである場合には、採取部１は、当該液体の流路の一部として機能し、特に、液体採取装置１０の内部に液体を導入する導入部として機能するものである。
【００４４】
本実施形態では、採取部１は、液体採取装置１０が被着体Ｓに装着されることで密閉される構成となっている。
【００４５】
これにより、被着体Ｓから採取する液体が不本意に気化することをより効果的に抑制することができ、また、いったん液体が気化して気体となった場合であっても当該気体をより効率よく凝縮させることができる。その結果、液体がより微量である場合であっても、効果的に採取することができる。また、採取すべき液体中における特定成分の含有率をより適切に求めることができる。
【００４６】
液体採取装置１０は、本体１０１を有し、本体１０１の内部空間に採取部１が形成されている。
【００４７】
この採取部１は、被着体Ｓ側に開口する第１の開口部１１と、収容部３側に開口する第２の開口部１２とを有している。
【００４８】
また、図示の構成では、採取部１は、毛細管部分１３を有している。
これにより、毛細管による液体を吸引する力（毛細管力）により、液体をより効率よく流通させることができ、後述するような収容部３、応答部４に、より効率よく液体を供給することができる。なお、毛細管部分１３は、液体を吸引する力（毛細管力）が発揮される程度の太さのものであればよく、その好適な太さ（例えば、内径）は、液体の種類等に異なる。
【００４９】
本実施形態では、採取部１は、液体の流通方向（被着体Ｓの装着面の法線方向）での断面を含む平面での断面形状が円形である。
【００５０】
これにより、液体採取装置１０の外部から採取部１への液体の流通をより円滑に行うことができるとともに、採取部１から収容部（保持部）３や応答部４への液体の流通をより円滑に行うことができる。
【００５１】
本実施形態では、採取部１は直径１．５ｃｍ、高さ０．１ｃｍの略円筒形であり、円筒の高さに対して第１の開口部１１の直径が大きくなるように構成されている。これにより、装着者Ｓから効率よく液体を採取することができる。なお、採取部１の容積は、特に限定されないが、２ｍｍ３以上５００ｍｍ３以下であるのが好ましく、１００ｍｍ３以上２００ｍｍ３以下であるのがより好ましい。なお、採取部１の容積は、採取部１を構成する壁部と第１の開口部１１と第２の開口部１２とによって形成される領域と定義される。
【００５２】
採取部１は、少なくとも液体と接触し得る部位が、親水性を有しているものであるのが好ましい。
【００５３】
これにより、気化した液体（気体）の凝縮を促進したり、液体の気化を抑制したりすることができ、結果として、液体がより微量である場合であっても、効果的に採取することができる。
【００５４】
親水性を有する採取部１の構成材料としては、例えば、水酸基、カルボキシル基、アミン構造や塩構造を有する化合物等が挙げられる。
【００５５】
また、採取部１の構成部材は、その全体が上記のような材料で構成されていなくても、例えば、親水化処理が施されることにより、親水性を有するものとなったものであってもよい。
【００５６】
これにより、上記のような効果が得られるとともに、材料選択の幅が広がり、その他の性能（例えば、液体採取装置の耐久性等）をより優れたものとすることができる。
親水化処理としては、例えば、プラズマ処理等が挙げられる。
【００５７】
＜冷却部＞
冷却部２は、採取部１を冷却する機能を有するものである。
【００５８】
冷却部は、中空部を有する環状のケーシング２０を有し、ケーシング２０の中空部内に、材料２１が封入されている。
そして、ケーシング２０の内側に、採取部１が位置している。
【００５９】
冷却部２は、採取部１の少なくとも一部を冷却する機能を有するものであれば、いかなる部位に設けられたものであってもよいが、本実施形態では、採取部１を覆うものである。
【００６０】
これにより、より効率よく採取部１を冷却することができ、より微量の液体であっても、効率よく採取することができる。
【００６１】
なお、本実施形態では、冷却部２は、採取部１の外周を覆うものであるが、採取部１の上面側（後に詳述する収容部３を含む領域）を含み、採取部１全体（例えば、第１の開口部１１側の面を除く全体）を覆うものであってもよい。
【００６２】
冷却部２は、採取部１から分離可能で、取り換え可能に構成されているのが好ましい。言い換えると、冷却部２と採取部１とは分離可能であり、冷却部２が取り換え可能（交換可能）に構成されているのが好ましい。
【００６３】
これにより、後に詳述するような材料を冷却部２に適用した場合であっても、液体採取装置１０を好適に繰り返し使用することができる。その結果、採取部１の冷却効率を優れたものとしつつ、液体採取装置１０の採算コストを抑制することができ、また、液体採取装置１０の長寿命化を図ることができる。
【００６４】
冷却部２は、採取部１を冷却する機能を有するものであれば、いかなる部材、材料で構成されたものであってもよいが、図示の構成では、溶解熱が負の値である材料２１を含むものである。これにより、材料２１と、材料２１を溶解する溶媒とを接触させることにより、採取部１を冷却することができる。
【００６５】
言い換えると、前記冷却部は、溶解熱が負の値である材料２１を含み、材料２１と、材料２１を溶解する溶媒とが接触することにより、採取部１を冷却するように構成されている。
【００６６】
これにより、より簡易な構成で、採取部１をより効率よく冷却することができる。また、液体採取装置１０の小型化を図る上でも有利である。また、材料２１（溶解熱が負の値である材料）は、一般に安価であるため、液体採取装置１０の生産コストを低減させる上でも有利である。また、材料２１は、溶媒と接触した後（溶媒に溶解した後）であっても、溶媒を除去することにより、容易に再利用（リサイクル、リユース）が可能であり、省資源の観点からも好ましい。
【００６７】
材料２１としては、例えば、尿素、硫酸アンモニウム、硝酸アンモニウム等が挙げられる。
【００６８】
これらの材料は、溶解熱の絶対値（溶解時の吸熱量）がより大きいものであるため、採取部１をより効率よく冷却することができる。また、材料２１の使用量が少量であっても十分な冷却能力が得られるため、液体採取装置１０の小型化等を図る上でも有利である。また、これらの材料は、比較的安価で安定的な入手が容易であるため、液体採取装置１０の最像コストの抑制や、液体採取装置１０の安定供給の観点からも好ましい。
【００６９】
また、前記溶媒（材料２１を溶解することができる溶媒）は、材料２１との組み合わせにより異なるが、水等の無機溶媒や、各種有機溶媒を用いることができるが、水を含むものであるのが好ましい。
【００７０】
これにより、ＶＯＣの問題のある有機溶媒等を用いる必要がなく、環境に優しい。また、冷却部２が後に説明するカプセルを含むものである場合において、溶媒として水を用いることにより、溶媒に対する耐性が十分に高いカプセル２２の外殻材料の選択の幅が広がる。また、液体採取装置１０の製造コストの抑制の観点からも好ましい。
【００７１】
なお、溶媒としては、２種以上の液体成分を含む混合溶媒を用いてもよい。また、溶媒中には、例えば、各種塩、添加物等が含まれていてもよい。
【００７２】
本実施形態では、冷却部２は、溶解熱が負の材料２１とともに、溶媒を内包するカプセル２２を含むものである。
【００７３】
これにより、液体採取装置１０の使用時（液体を採取すべきとき）に、例えば、押圧力等の外力を加えてカプセル２２を破壊することにより、材料２１と溶媒とを好適に接触させることができる。したがって、必要時において、速やかにかつ効率よく冷却部２による採取部１の冷却を行うことができる。また、外部からの溶剤の供給を不要とすることができ、冷却部２の内部への溶媒の侵入を防止、抑制した構造（例えば、防水、防湿構造等）にすることができるため、液体採取装置１０の保存時等に、材料２１が不本意に溶媒と接触してしまうことにより、液体採取装置１０の使用時に冷却部２の冷却機能が十分に発揮されなくなるといった問題の発生をより効果的に防止、抑制することができる。また、冷却部２のうち外力を加える領域（カプセル２２を破壊する領域）や外力の大きさを調整することにより、破壊するカプセル２２の量（割合）を調整することができる。その結果、例えば、液体採取装置１０の使用環境（例えば、外気温等）に応じて、使用者が、破壊するカプセル２２の量（割合）を容易に調整することができる。その結果、冷却温度、冷却時間の調整を行ったり、冷却部２による冷却を複数回に分けて行ったりすることができる。
【００７４】
カプセル２２の外殻材料（溶剤を包む材料）としては、例えば、各種樹脂材料を好適に用いることができる。
【００７５】
冷却部２は、採取部１を冷却するものであればよいが、冷却部２により冷却しない場合に比べて、採取部１の温度を１０℃以上低下させるものであるのが好ましく、２０℃以上低下させるものであるのがより好ましく、３０℃以上低下させるものであるのがさらに好ましい。
これにより、より微量の液体であっても、効率よく採取することができる。
【００７６】
＜収容部＞
本実施形態の液体採取装置１０は、前述した採取部１、冷却部２に加え、さらに、採取部１に繋がり、採取部１で採取した液体を収容する収容部（保持部）３を備えている。
【００７７】
このような収容部３を備えることにより、例えば、採取部１を介して外部から液体採取装置１０の内部に導入された液体を好適に保持することができる。また、後に説明するような応答部４を用いて、液体の分析（特定成分の検出等）を好適に行うことができる。
【００７８】
本実施形態では、収容部３の構造部材の一部が採取部１の構造部材を構成している。
このような構成により、液体採取装置１０の構造をより簡易なものとすることができ、液体採取装置１０の構成部材をより少ないものとすることができる。
【００７９】
収容部３の容積は、採取部１の容積より小さいものであるのが好ましい。
これにより、液体採取装置１０の外部から採取部１への液体の流通をより円滑に行うことができるとともに、採取部１から収容部３への液体の流通をより円滑に行うことができる。
【００８０】
収容部３の容積（後述する応答部４が占める領域の体積を含む）は、特に限定されないが、１ｍｍ３以上４００ｍｍ３以下であるのが好ましく、５０ｍｍ３以上２５０ｍｍ３以下であるのがより好ましい。なお、収容部３の容積は、収容部３を構成する壁部と第２の開口部１２とによって形成される領域と定義される。
【００８１】
＜応答部＞
本実施形態の液体採取装置１０は、前述した構成に加え、さらに、液体に含まれる所定の成分（特定成分）に応答する応答部（センサー）４が設けられている。
【００８２】
これにより、液体中に含まれる所定の成分（特定成分）の検出等を好適に行うことができる。特に、液体採取装置１０の内部に導かれた液体を液体採取装置１０の外部に移動させることなく、液体採取装置１０の内部において特定成分の検出等を好適に行うことができる。
【００８３】
特に、本実施形態では、収容部３に応答部４が配されている。
これにより、応答部４に液体を安定的に接触させることができ、応答部４による検出の精度、信頼性をより優れたものとすることができる。特に、微量の液体であっても好適に特定成分の検出を行うことができる。
【００８４】
本実施形態では、応答部４は、液体に含まれる所定の成分（特定成分）による刺激により膨張または収縮する刺激応答性ゲル４１を含むものである。
【００８５】
これにより、特定成分の検出精度を優れたものとしつつ、液体採取装置１０の構成が大型化、複雑化するのを効果的に抑制することができる。
なお、応答部４を構成する刺激応答性ゲル４１については、後に詳述する。
【００８６】
＜粘着部材＞
本実施形態の液体採取装置１０は、前述した構成に加え、さらに、採取部１を被着体Ｓに設置する機能を有する粘着部材５を備えている。
【００８７】
これにより、簡易な構成で、液体採取装置１０（特に、採取部１）を被着体Ｓに密着させることができ、採取部１からの液体の漏れ等を効果的に防止、抑制することができ、液体の採取の効率をより優れたものとすることができる。また、被着体Ｓへの負担を抑制しつつ、より好適に液体採取装置１０（特に、採取部１）を被着体Ｓに密着させることができる。
【００８８】
本実施形態では、粘着部材５は、冷却部２を固定する機能も有している。言い換えると、冷却部２は、粘着部材５により固定されているものである。
【００８９】
これにより、液体採取装置１０を被着体Ｓに装着した状態において、採取部１と冷却部２との相対的な位置関係が不本意に変化してしまうことをより効果的に抑制することができ、冷却部２による採取部１の冷却をより安定的に行うことができる。また、例えば、液体採取装置１０からの冷却部２の取り外し、冷却部２の取り換え作業をより容易に行うことができる。
【００９０】
本実施形態において、粘着部材５は、基材５１と粘着剤層５２とを備えるものである。
これにより、液体採取装置１０の耐久性、液体採取装置１０の取扱いのし易さをより優れたものとすることができる。
【００９１】
また、本実施形態では、粘着部材５のうち収容部３を画成する部位は基材５１であり、当該部位には粘着剤層５２が存在しないように構成されている。これにより、粘着剤層が、不本意な部位に付着し、収容部３の容積が減少してしまうことを効果的に防止、抑制することができる。
【００９２】
基材５１は、光透過性を有する材料（透明の材料）で構成されたものであるのが好ましい。
これにより、応答部４の様子を外部から好適に視認することができる。
【００９３】
粘着部材５は、いかなる形状を有するものであるが、図示の構成では、テープ状をなすものである。
【００９４】
これにより、液体採取装置１０の被着体Ｓへの装着をより容易に行うことができ、被着体Ｓへの液体採取装置１０の密着性をより優れたものとすることができる。また、例えば、液体採取装置１０からの冷却部２の取り外し、冷却部２の取り換え作業をさらに容易に行うことができる。
【００９５】
［第２実施形態］
次に、第２実施形態の液体採取装置について説明する。
【００９６】
図３は、第２実施形態に係る液体採取装置の構成を模式的に示す縦断面図である。以下の説明では、前述した実施形態との相違点について中心的に説明し、同様の事項についての説明は省略する。
【００９７】
本実施形態の液体採取装置１０では、冷却部２のカプセル２２が配された空間が、孔部２３を介して外部に連通している。
【００９８】
これにより、溶解熱が負の値である材料２１を溶解する機能を有する溶媒を、液体採取装置１０の外部から供給して、冷却部２、採取部１を好適に冷却することができる。
【００９９】
特に、本実施形態では、被着体Ｓ側に孔部２３が設けられている。
これにより、被着体側から供給された液体（例えば、被着体Ｓが皮膚である場合、皮膚から供給された汗等）の一部を、冷却部２の内部（溶解熱が負の値である材料２１が収容された空間）に供給することができる。
【０１００】
孔部２３は、例えば、直線状に設けられたものであってもよいが、図示の構成では、多孔質体が有する孔部（連続孔）である。
【０１０１】
これにより、冷却部２の内部に収容された材料２１が外部に漏出することを効果的に防止、抑制しつつ、材料２１が収容された空間に、（例えば、毛細管力等により）好適に溶媒を供給することができる。
【０１０２】
孔部２３の大きさは、特に限定されないが、材料２１が粒子状（粉末状）をなすものである場合、当該粒子の平均粒径よりも小さいものであるのが好ましい。
【０１０３】
［第３実施形態］
次に、第３実施形態の液体採取装置について説明する。
【０１０４】
図４は、第３実施形態に係る液体採取装置の構成を模式的に示す縦断面図である。以下の説明では、前述した実施形態との相違点について中心的に説明し、同様の事項についての説明は省略する。
【０１０５】
本実施形態の液体採取装置１０は、被着体Ｓに装着した状態で、採取部１内の圧力を外気の圧力よりも低いもの（負圧）とすることができるように構成されている。
【０１０６】
これにより、被着体Ｓから供給される液体を、液体採取装置１０内の空間（採取部１、収容部３）に効率よく導くことができる。
【０１０７】
また、採取部１内を負圧とすることにより、ベルト、バンド等の固定部材を用いなくても、液体採取装置１０を被着体Ｓに好適に固定することができる。また、固定部材を用いる場合であっても、固定部材による固定力を比較的弱いものとすることができるため、安価な固定部材を用いることができたり、固定部材の選択の幅を広げたりすることができる。また、固定部材による固定力を比較的弱いものとすることができるため、被着体Ｓの液体採取装置１０が装着される部位以外に加わる外力をより小さいものとすることができ、被着体Ｓへの負担をより小さいものとすることができる。
【０１０８】
特に、本実施形態の液体採取装置１０は、ピストン６１を備えている。また、ピストン６１は、コンロッド６３を介して、操作部６２に接続している。
このような構成により、採取部１内の圧力をより好適に負圧にすることができる。
【０１０９】
また、ピストン６１の側面（外周部）には、雄ねじ部６１１が設けられており、収容部３の一部を構成する筒体３１の内周面には、雌ねじ部３１１が設けられている。雄ねじ部６１１と雌ねじ部３１１とが螺合している。
【０１１０】
このような構成により、採取部１内の圧力（真空度）をより好適に調整することができるとともに、当該圧力をより好適に保持することができる。
【０１１１】
また、筒体３１には、図示しない目盛りが設けられている。
これにより、液体採取装置１０の使用者等が採取部１内の圧力（真空度）の程度をより容易に把握することができる。
【０１１２】
また、筒体３１には、開閉可能なリークバルブ３２が設けられている。
これにより、リークバルブ３２を閉じた状態で好適に採取部１内の圧力を負圧にすることができるとともに、リークバルブ３２を開状態とすることにより、被着体Ｓに過度の負担が加わることを抑制しつつ液体採取装置１０を被着体Ｓから好適に取り外すことができる。
【０１１３】
以下、応答部４を構成する刺激応答性ゲル４１について詳細に説明する。
《刺激応答性ゲル》
刺激応答性ゲル４１は、所定の物質による刺激に対して反応（応答）するものであれば、いかなる材料で構成されたものであってもよいが、通常、架橋構造を有する高分子材料と、溶媒とを含む材料で構成されたものである。
【０１１４】
＜高分子材料（ポリマー）＞
刺激応答性ゲル４１を構成する高分子材料は、特定の刺激を検出する上で重要な成分であり、その構造は、検出すべき刺激の種類によって異なる。なお、刺激とは種々の化学反応および物理的な作用などを指す。
【０１１５】
刺激応答性ゲル４１を構成する高分子材料は、特に限定されず、検出すべき刺激によって、選択することができる。
【０１１６】
以下、刺激応答性ゲル４１を構成する高分子材料の具体例について説明する。
刺激応答性ゲル４１を構成する高分子材料としては、例えば、単量体（モノマー）、重合開始剤、架橋剤等を反応させることにより得られたものを用いることができる。
【０１１７】
単量体としては、例えば、アクリルアミド、Ｎ−メチルアクリルアミド、Ｎ−イソプロピルアクリルアミド、Ｎ，Ｎ−ジメチルアクリルアミド、Ｎ，Ｎ−ジメチルアミノプロピルアクリルアミド、Ｎ，Ｎ−ジメチルアミノプロピルアクリルアミド各種四級塩、アクリロイルモルホリン、Ｎ，Ｎ−ジメチルアミノエチルアクリレート各種四級塩、アクリル酸、各種アルキルアクリレート、メタクリル酸、各種アルキルメタクリレート、２−ヒドロキシエチルメタクリレート、グリセロールモノメタクリレート、Ｎ−ビニルピロリドン、アクリロニトリル、スチレン、ポリエチレングリコールジアクリレート、１，６−ヘキサンジオールジアクリレート、ネオペンチルグリコールジアクリレート、トリプロピレングリコールジアクリレート、ポリプロピレングリコールジアクリレート、２，２−ビス〔４−（アクリロキシジエトキシ）フェニル〕プロパン、２，２−ビス〔４−（アクリロキシポリエトキシ）フェニル〕プロパン、２−ヒドロキシ−１−アクリロキシ−３−メタクリロキシプロパン、２，２−ビス〔４−（アクリロキシポリプロポキシ）フェニル〕プロパン、エチレングリコールジメタクリレート、ジエチレングリコールジメタクリレート、トリエチレングリコールジメタクリレート、ポリエチレングリコールジメタクリレート、１，３−ブチレングリコールジメタクリレート、１，６−ヘキサンジオールジメタクリレート、ネオペンチルグリコールジメタクリレート、ポリプロピレングリコールジメタクリレート、２−ヒドロキシ−１，３−ジメタクリロキシプロパン、２，２−ビス〔４−（メタクリロキシエトキシ）フェニル〕プロパン、２，２−ビス〔４−（メタクリロキシエトキシジエトキシ）フェニル〕プロパン、２，２−ビス〔４−（メタクリロキシエトキシポリエトキシ）フェニル〕プロパン、トリメチロールプロパントリメタクリレート、テトラメチロールメタントリメタクリレート、トリメチロールプロパントリアクリレート、テトラメチロールメタントリアクリレート、テトラメチロールメタンテトラアクリレート、ジペンタエリスリトールヘキサアクリレート、Ｎ，Ｎ’−メチレンビスアクリルアミド、Ｎ，Ｎ’−メチレンビスメタクリルアミド、ジエチレングリコールジアリルエーテル、ジビニルベンゼン等が挙げられる。
【０１１８】
また、糖と相互作用可能な官能基としては、例えば、ボロン酸基（特に、フェニルボロン酸基）が挙げられるため、ボロン酸基を有する単量体を用いてもよい。このようなボロン酸基含有モノマーとしては、例えば、アクリロイルアミノベンゼンボロン酸、メタクリロイルアミノベンゼンボロン酸、４−ビニルベンゼンボロン酸等が挙げられる。
【０１１９】
また、イオン物質（特に、カルシウムイオンを含むもの）を所定の物質（特定成分）として検出する場合には、単量体として、４−アクリルアミドベンゾ−１８−クラウン−６−エーテル、アクリロイルアミノベンゾクラウンエーテル、メタクリロイルアミノベンゾクラウンエーテル、４−ビニルベンゾクラウンエーテル等のクラウンエーテル基含有モノマー（特に、ベンゾクラウンエーテル基含有モノマー）を好適に用いることができる。
【０１２０】
また、塩化ナトリウム等のイオン物質を所定の物質（特定成分）として検出する場合には、単量体として、３−アクリルアミドフェニルボロン酸、ビニルフェニルボロン酸、アクリロイロキシフェニルボロン酸、Ｎ−イソプロピルアクリルアミド（ＮＩＰＡＡｍ）、エチレンビスアクリルアミド、Ｎ−ヒドロキシエチルアクリルアミド等を好適に用いることができる。特に、塩化ナトリウム等のイオン物質を所定の物質（特定成分）として検出する場合には、単量体として、３−アクリルアミドフェニルボロン酸、ビニルフェニルボロン酸およびアクリロイロキシフェニルボロン酸よりなる群から選択される１種または２種以上の単量体と、Ｎ−イソプロピルアクリルアミド（ＮＩＰＡＡｍ）、エチレンビスアクリルアミドおよびＮ−ヒドロキシエチルアクリルアミドよりなる群から選択される１種または２種以上の単量体とを組み合わせて用いるのが好ましい。
【０１２１】
また、グルコース、フルクトース等の糖類；乳酸を所定の物質（特定成分）として検出する場合には、単量体として、３−アクリルアミドフェニルボロン酸、ビニルフェニルボロン酸、アクリロイロキシフェニルボロン酸、Ｎ−イソプロピルアクリルアミド（ＮＩＰＡＡｍ）、エチレンビスアクリルアミド、Ｎ−ヒドロキシエチルアクリルアミド等を好適に用いることができる。特に、糖類、乳酸を所定の物質（特定成分）として検出する場合には、単量体として、３−アクリルアミドフェニルボロン酸、ビニルフェニルボロン酸およびアクリロイロキシフェニルボロン酸よりなる群から選択される１種または２種以上の単量体と、Ｎ−イソプロピルアクリルアミド（ＮＩＰＡＡｍ）、エチレンビスアクリルアミドおよびＮ−ヒドロキシエチルアクリルアミドよりなる群から選択される１種または２種以上の単量体とを組み合わせて用いるのが好ましい。
【０１２２】
重合開始剤としては、例えば、その重合様式によって、適宜選択することができるが、具体的には、過酸化ベンゾイル、過酸化ラウロイル、過酸化水素、過硫酸塩、例えば過硫酸カリウム、過硫酸ナトリウム、過硫酸アンモニウム等、アゾ系開始剤（例えば２，２’−アゾビス（２−アミジノプロパン）二塩酸塩、アゾビスジメチルバレロニトリル、２，２′−アゾビス（２−アミノプロパン）二塩酸塩、２，２′−アゾビス〔２−（５−メチル−２−イミダゾリン−２−イル）プロパン〕二塩酸塩、２，２′−アゾビスイソブチルアミド二水和物、２，２’−アゾビス［Ｎ−（２−カルボキシエチル）−２−メチルプロピオンアミジン］ｎ−ハイドレート、２，２’−アゾビス［２−メチル−Ｎ−（２−ヒドロキシエチル）プロピオンアミド］、２，２’−アゾビス（Ｎ，Ｎ’−ジメチレンイソブチルアミジン）二塩酸塩、２，２’−アゾビス｛２−メチル−Ｎ−〔１，１，−ビス（ヒドロキシメチル）−２−ヒドロキシエチル〕プロピオンアミド｝、２，２’−アゾビス〔２−（２−イミダゾリン−２−イル）プロパン〕二塩酸塩、４，４’−アゾビス（４−シアノ吉草酸）、２，２’−アゾビスイソブチロニトリル、２，２’−アゾビス（２，４’−ジメチルバレロニトリル）等）、ベンゾフェノン、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、２，４，６−トリメチルベンゾイルジフェニルホスフィンオキサイド、１−［４−（２−ヒドロキシエトキシ）−フェニル］−２−ヒドロキシ−２−メチル−１−プロパン−１−オン、２，４−ジエチルチオキサントン、イソプロピルチオキサントン、１−クロロ−４−プロポキシチオキサントン、２−（３−ジメチルアミノ−２−ヒドロキシプロポキシ）−３，４−ジメチル−９Ｈ−チオキサントン−９−オンメソクロライド、２−メチル−１［４−（メチルチオ）フェニル］−２−モルホリノプロパン−１、２−ベンジル−２−ジメチルアミノ−１−（４−モルホリノフェニル）−ブタノン−１、ビス（シクロペンタジエニル）−ビス（２，６−ジフルオロ−３−（ピル−１−イル）チタニウム、ジイソプロピルオキシジカーボネート、１，３−ジ（ｔ−ブチルペルオキシカルボニル）ベンゼン、３，３’，４，４’−テトラ−（ｔ−ブチルペルオキシカルボニル）ベンゾフェノン、ｔ−ブチルペルオキシ−２−エチルヘキサノエート、ｔ−ブチルペルオキシビバレート、ｔ−ブチルペルオキシジイソブチレート等のパーオキシエステル等が挙げられる。また、過酸化水素あるいは過硫酸塩は、例えば、亜硫酸塩、Ｌ−アスコルビン酸等の還元性物質やアミン塩等を組み合わせてレドックス系の開始剤としても使用することができる。
【０１２３】
架橋剤成分としては、重合性官能基を２個以上有する化合物を用いることができ、具体的には、例えば、エチレングリコール、プロピレングリコール、トリメチロールプロパン、グリセリン、ポリオキシエチレングリコール、ポリオキシプロピレングリコール、ポリグリセリン、Ｎ，Ｎ’−メチレンビスアクリルアミド、Ｎ，Ｎ−メチレン−ビス−Ｎ−ビニルアセトアミド、Ｎ，Ｎ−ブチレン−ビス−Ｎ−ビニルアセトアミド、トリレンジイソシアネート、ヘキサメチレンジイソシアネート、アリル化デンプン、アリル化セルロース、ジアリルフタレート、テトラアリロキシエタン、ペンタエリストールトリアリルエーテル、トリメチロールプロパントリアリルエーテル、ジエチレングリコールジアリルエーテル、トリアリルトリメリテート等が挙げられ、これらから選択される１種または２種以上を組み合わせて用いることができる。
【０１２４】
刺激応答性ゲル４１は、少なくとも、構成モノマーとして水溶性ビニルモノマーを含み、かつ、フェニルボロン酸構造を備えるポリマー（以下、第１のポリマーという。）を含むものであるのが好ましい。
【０１２５】
これにより、前記液体が水等の親水性の高い成分を含むものである場合に、前記所定の物質（特定成分）の濃度変化による刺激応答性ゲル４１の体積の変化率をより大きいものとすることができ、所定の物質（特定成分）の定量的な検出を好適に行うことができる。特に、乳酸等の検出をより好適に行うことができる。
【０１２６】
以下、刺激応答性ゲル４１が、少なくとも、構成モノマーとして水溶性ビニルモノマーを含み、かつ、フェニルボロン酸構造を備えるポリマー（第１のポリマー）を含むものである場合について代表的に説明する。
【０１２７】
（第１のポリマー）
フェニルボロン酸構造は、例えば、ポリマー（第１のポリマー）の構成成分としての重合性化合物（モノマー等）を重合させた後に導入されたものであってもよいが、ポリマー（第１のポリマー）の構成成分としての重合性化合物が有するものであるのが好ましい。言い換えると、ポリマー（第１のポリマー）は、構成成分として、フェニルボロン酸構造を有するモノマーを含むものであるのが好ましい。
【０１２８】
これにより、ポリマー（第１のポリマー）が有するフェニルボロン酸構造の割合等の調整を容易に行うことができる。また、ポリマー（第１のポリマー）の剛性をより容易に行うことができる。また、ポリマー（第１のポリマー）の化学的安定性をより優れたものとすることができ、ポリマー（第１のポリマー）の不本意な劣化、変性等をより効果的に防止、抑制することができる。
【０１２９】
ポリマー（第１のポリマー）を構成する、フェニルボロン酸構造を有するモノマーとしては、例えば、３−（メタ）アクリルアミドフェニルボロン酸、ビニルフェニルボロン酸、（メタ）アクリロイロキシフェニルボロン酸、（メタ）アクリロイルアミノベンゼンボロン酸、（メタ）アクリロイルアミノベンゼンボロン酸、４−ビニルベンゼンボロン酸等が挙げられ、これらから選択される１種または２種以上を組み合わせて用いることができるが、ポリマー（第１のポリマー）は、３−アクリルアミドフェニルボロン酸を構成成分として含むものであるのが好ましい。
【０１３０】
これにより、前記所定の物質（特定成分）の濃度変化による刺激応答性ゲル４１の体積の変化率をさらに大きいものとすることができ、所定の物質（特定成分）の定量的な検出をさらに好適に行うことができる。
【０１３１】
前記ポリマー（第１のポリマー）は、構成モノマーとして水溶性ビニルモノマー（フェニルボロン酸構造を有さない水溶性ビニルモノマー）を含むものである。
【０１３２】
これにより、前記ポリマー（第１のポリマー）が有するフェニルボロン酸構造の割合等を好適なものに調整することができるとともに、前記所定の物質（特定成分）の濃度変化による刺激応答性ゲル４１の体積の変化率をさらに大きいものとすることができ、所定の物質（特定成分）の定量的な検出をさらに好適に行うことができる。
【０１３３】
なお、水溶性ビニルモノマーは、２５℃の水：１００ｇに対する溶解度が、５ｇ以上のものであるのが好ましく、１０ｇ以上のものであるのがより好ましい。
これにより、前述したような効果がより顕著に発揮される。
【０１３４】
水溶性ビニルモノマーとしては、水酸基（ＯＨ基）、ケトン基、カルボン酸基、イオン性基のうち少なくとも１種を有するものが好ましく、水酸基（ＯＨ基）、イオン性基のうち少なくとも１種を有するものがより好ましく、水酸基（ＯＨ基）を有するものがさらに好ましい。
【０１３５】
これにより、前述したような効果がより顕著に発揮される。また、刺激応答性ゲル４１の溶媒（特に、水等の極性（親水性）の高い溶媒）の保持力をより優れたものとすることができる。
【０１３６】
特に、水溶性ビニルモノマーが水酸基（ＯＨ基）を有するものであると、刺激応答性ゲル４１は、フェニルボロン酸構造とＯＨ基とが結合した第１の状態と、フェニルボロン酸構造とＯＨ基との結合が解除された第２の状態とを取り得る。
【０１３７】
このような状態の変化は、周囲の環境の変化（所定の物質（特定成分）の有無や、所定の物質（特定成分）の濃度等の変化）によって起こるものである。特に、上記のような状態の変化は、特定成分の濃度が比較的低い領域で、起こるものである。したがって、刺激応答性ゲル４１の特定成分に対する反応性（感受性）をより高いものとすることができる。
【０１３８】
前記ポリマー（第１のポリマー）を構成する水溶性ビニルモノマー（フェニルボロン酸構造を有さない水溶性ビニルモノマー）は、例えば、Ｎ−ヒドロキシエチル（メタ）アクリルアミド、ジアセトン（メタ）アクリルアミド、Ｎ−ヒドロキシメチル（メタ）アクリルアミド、Ｎ−ヒドロキシプロピル（メタ）アクリルアミド、Ｎ−ヒドロキシブチル（メタ）アクリルアミド、Ｎ−ヒドロキシペンチル（メタ）アクリルアミド、２，３−ジヒドロキシプロピル（メタ）アクリルアミド、ジヒドロキシブチル（メタ）アクリルアミド、ジヒドロキシペンチル（メタ）アクリルアミド、トリス（ヒドロキシメチル）メチル（メタ）アクリルアミド、２−（メタ）アクリルアミド２−メチルスルホン酸、（メタ）アクリルアミドグリコール酸、（メタ）アクリルアミドエタンカルボン酸、（メタ）アクリルアミドプロパンカルボン酸、（メタ）アクリルアミドブタンカルボン酸、（メタ）アクリルアミドペンタンカルボン酸、（メタ）アクリルアミドヘキサンカルボン酸、（メタ）アクリルアミドヘプタンカルボン酸、（メタ）アクリルアミドオクタンカルボン酸、（メタ）アクリルアミドエトキシエタノール、２−ヒドロキシ（メタ）アクリレート、２−ヒドロキシエチル（メタ）アクリレート、（メタ）アクリル酸モノグリセロール、無水マレイン酸グリセロールモノ（メタ）アクリレート、２−ヒドロキシ１−アクリロキシ−３−メタ（アクリロキシ）プロパン、２−ヒドロキシ１，３−ジメタ（アクリロキシ）プロパン、Ｎ，Ｎ−ジメチルアミノプロピル（メタ）アクリルアミド各種四級塩、Ｎ，Ｎ−ジメチルアミノエチル（メタ）アクリレート各種四級塩、１，４−シクロヘキサンジメタノールモノ（メタ）アクリレート、（３−（メタ）アクリルアミドプロピル）トリメチルアンモニウムクロリド、トリメチル−２−（メタ）アクロイルオキシエチルアンモニウムクロリド、りん酸２−（（メタ）アクリロイルオキシ）エチル２−（トリメチルアンモニオ）エチル、（メタ）アクリル酸３−スルホプロピルカリウム、２−（メタ）アクリルアミド２−メチルプロパンスルホン酸、Ｎ，Ｎ’−（１，２−ジヒドロキシエチレン）ビス（メタ）アクリルアミド、ビニルスルホン酸等が挙げられ、これらから選択される１種または２種以上を組み合わせて用いることができる。
【０１３９】
前記ポリマー（第１のポリマー）を構成する、ＯＨ基を有するモノマーとしては、例えば、Ｎ−ヒドロキシエチル（メタ）アクリルアミド、Ｎ−ヒドロキシメチル（メタ）アクリルアミド、Ｎ−ヒドロキシプロピル（メタ）アクリルアミド、Ｎ−ヒドロキシブチル（メタ）アクリルアミド、Ｎ−ヒドロキシペンチル（メタ）アクリルアミド、２，３−ジヒドロキシプロピル（メタ）アクリルアミド、ジヒドロキシブチル（メタ）アクリルアミド、ジヒドロキシペンチル（メタ）アクリルアミド、トリス（ヒドロキシメチル）メチル（メタ）アクリルアミド、２−ヒドロキシ（メタ）アクリレート、２−ヒドロキシエチル（メタ）アクリレート、２−ヒドロキシ１−アクリロキシ−３−メタ（アクリロキシ）プロパン、２−ヒドロキシ１，３−ジメタ（アクリロキシ）プロパン、Ｎ，Ｎ’−（１，２−ジヒドロキシエチレン）ビス（メタ）アクリルアミド、（メタ）アクリルアミドエトキシエタノール、１，４−シクロヘキサンジメタノールモノ（メタ）アクリレート等が挙げられ、これらから選択される１種または２種以上を組み合わせて用いることができるが、前記ポリマー（第１のポリマー）は、Ｎ−ヒドロキシエチルアクリルアミドを構成成分として含むものであるのが好ましい。
【０１４０】
これにより、前述したような効果がより顕著に発揮される。また、刺激応答性ゲル４１が前記ポリマー（第１のポリマー）に加え、後に詳述する第２のポリマーを含むものである場合に、第１のポリマーと第２のポリマーとの親和性をより好適なものとすることができ、刺激応答性ゲル４１中における不本意な相分離等の問題をより長期間にわたって抑制することができ、刺激応答性ゲル４１の耐久性、信頼性を特に優れたものとすることができる。
【０１４１】
前記ポリマー（第１のポリマー）中におけるフェニルボロン酸構造を有さない水溶性ビニルモノマーの含有率は、４０ｍｏｌ％以上８０ｍｏｌ％以下であるのが好ましく、５０ｍｏｌ％以上７５ｍｏｌ％以下であるのがより好ましい。
【０１４２】
前記ポリマー（第１のポリマー）中における前記フェニルボロン酸構造を有するモノマーの含有率は、２０質量％以上４５質量％以下であるのが好ましく、２５質量％以上４３質量％以下であるのがより好ましい。
【０１４３】
これにより、刺激応答性ゲル４１の柔軟性をより適切なものとすることができ、所定の物質（特定成分）に対する感度を特に優れたものとすることができる。
【０１４４】
これに対し、前記ポリマー（第１のポリマー）中におけるフェニルボロン酸構造を有するモノマーの含有率が前記下限値未満であったり、前記上限値を超えたりすると、刺激応答性ゲル４１の柔軟性や、所定の物質（特定成分）に対する感度が低下する場合がある。
【０１４５】
前記ポリマー（第１のポリマー）は、構成成分として、前述したモノマー（フェニルボロン酸構造を有するモノマー、フェニルボロン酸構造を有さない水溶性ビニルモノマー））以外のモノマーを含むものであってもよい。
【０１４６】
このようなモノマーとしては、例えば、（メタ）アクリルアミド、Ｎ−メチル（メタ）アクリルアミド、Ｎ−エチル（メタ）アクリルアミド、Ｎ−イソプロピル（メタ）アクリルアミド、Ｎ，Ｎ−ジメチル（メタ）アクリルアミド、Ｎ，Ｎ−ジメチルアミノプロピル（メタ）アクリルアミド、エチレンビス（メタ）アクリルアミド、Ｎ−［３−（ジメチルアミノ）プロピル］（メタ）アクリルアミド、Ｎ−ｔ−ブチル（メタ）アクリルアミド、Ｎ，Ｎ−ジエチル（メタ）アクリルアミド、Ｎ−（ブトキシメチル）（メタ）アクリルアミド、Ｎ−（イソブトキシメチル）（メタ）アクリルアミド、Ｎ−フェニル（メタ）アクリルアミド、イソブトキシメチル（メタ）アクリルアミド、Ｎ−ビニルラクトン、メチルビニルエーテル、（メタ）アクリロイルモルホリン、（メタ）アクリル酸、各種アルキル（メタ）アクリレート、１，４−シクロヘキサンジメタノールモノ（メタ）アクリレート、（３−（メタ）アクリルアミドプロピル）トリメチルアンモニウムクロリド、トリメチル−２−（メタ）アクロイルオキシエチルアンモニウムクロリド、りん酸２−（（メタ）アクリロイルオキシ）エチル２−（トリメチルアンモニオ）エチル、（メタ）アクリル酸２−（２−エトキシエトキシ）エチル、（メタ）アクリル酸グリシジル、ジ（エチレングリコール）ジビニルエーテル、トリ（エチレングリコール）ジビニルエーテル、ポリ（エチレングリコール）ジビニルエーテル、トリメチロールプロパンエトキシラートトリ（メタ）アクリラート、トリメチロールプロパンプロポキシラートトリ（メタ）アクリラート、Ｎ−［トリス（３−（メタ）アクリルアミドプロポキシメチル）メチル］（メタ）アクリルアミド、酢酸ビニル、カルボン酸ビニル（Ｃ３〜Ｃ１０）、Ｎ−ビニルピロリドン、アクリロニトリル、スチレン、ポリエチレングリコールジ（メタ）アクリレート、１，６−ヘキサンジオールジ（メタ）アクリレート、ネオペンチルグリコールジ（メタ）アクリレート、トリプロピレングリコールジ（メタ）アクリレート、ポリプロピレングリコールジ（メタ）アクリレート、２，２−ビス〔４−（（メタ）アクリロキシジエトキシ）フェニル〕プロパン、２，２−ビス〔４−（（メタ）アクリロキシポリエトキシ）フェニル〕プロパン、２，２−ビス〔４−（（メタ）アクリロキシポリプロポキシ）フェニル〕プロパン、エチレングリコールジ（メタ）アクリレート、ジエチレングリコールジ（メタ）アクリレート、トリエチレングリコールジ（メタ）アクリレート、１，３−ブチレングリコールジ（メタ）アクリレート、２，２−ビス〔４−（（メタ）アクリロキシエトキシ）フェニル〕プロパン、２，２−ビス〔４−（（メタ）アクリロキシエトキシジエトキシ）フェニル〕プロパン、２，２−ビス〔４−（（メタ）アクリロキシエトキシポリエトキシ）フェニル〕プロパン、トリメチロールプロパントリ（メタ）アクリレート、テトラメチロールメタントリ（メタ）アクリレート、テトラメチロールメタンテトラ（メタ）アクリレート、ジペンタエリスリトールヘキサ（メタ）アクリレート、Ｎ，Ｎ’−メチレンビス（メタ）アクリルアミド、ジエチレングリコールジアリルエーテル、ジビニルベンゼン、４−（メタ）アクリルアミドベンゾ−１８−クラウン−６−エーテル、アクリロイルアミノベンゾクラウンエーテル、（メタ）アクリロイルアミノベンゾクラウンエーテル、４−ビニルベンゾクラウンエーテル等が挙げられ、これらから選択される１種または２種以上を組み合わせて用いることができる。
【０１４７】
上記のモノマーのうち、アクリルアミド系、メタアクリルアミド系、アクリル酸系、メタアクリル酸系が好ましく、アクリルアミド系、メタアクリルアミド系がより好ましい。
【０１４８】
また、前記ポリマー（第１のポリマー）は、Ｎ−イソプロピルアクリルアミド（ＮＩＰＡＡｍ）、エチレンビスアクリルアミドのうち少なくとも一方を含むものであるのが好ましい。
【０１４９】
前記ポリマー（第１のポリマー）中における架橋剤成分の含有率は、０．５ｍｏｌ％以上１０．０ｍｏｌ％以下であるのが好ましく、０．８ｍｏｌ％以上８．０ｍｏｌ％以下であるのがより好ましく、１．１ｍｏｌ％以上６．０ｍｏｌ％以下であるのがさらに好ましい。
【０１５０】
これにより、前記ポリマー（第１のポリマー）の架橋度をより好適な範囲にすることができ、前述したような効果をより顕著に発揮しつつ、前記ポリマー（第１のポリマー）の柔軟性をより適切なものとすることができる。
刺激応答性ゲル４１は、異なる複数種の高分子材料を含むものであってもよい。
【０１５１】
例えば、刺激応答性ゲル４１は、高分子材料として、前述したような構成モノマーとして水溶性ビニルモノマーを含み、かつ、フェニルボロン酸構造を有する第１のポリマーに加えて、ＯＨ基（炭素原子に結合する水酸基）を有する第２のポリマーを含むものであってもよい。
【０１５２】
これにより、前述したような刺激応答性ゲル４１を構成する樹脂材料がフェニルボロン酸構造とＯＨ基とを有することによる効果がより効果的に発揮されるとともに、刺激応答性ゲル４１の強度をより優れたものとすることができ、応答部４、液体採取装置１０の耐久性をより優れたものとすることができる。
【０１５３】
また、刺激応答性ゲル４１は、前述した第１のポリマーがＯＨ基を有さないものであっても、ＯＨ基を有する第２のポリマーを含むことにより、フェニルボロン酸構造とＯＨ基とが結合した第１の状態と、フェニルボロン酸構造とＯＨ基との結合が解除された第２の状態とを好適に取り得、特定成分の含有率の変化量が小さいものであっても、刺激応答性ゲル４１の体積変化をより大きいものとすることができ、特定成分に対する感度をより優れたものとすることができる。また、刺激応答性ゲル４１の溶媒（特に、水等の極性（親水性）溶媒）の保持力を特に優れたものとすることができ、長期間にわたって安定的に好適なゲル状態を保持することができる。また、第１のポリマーがＯＨ基を有するものであり、さらに第２のポリマーを含む場合には、前述したような効果がより顕著に発揮される。
【０１５４】
以下、刺激応答性ゲル４１が、樹脂材料として、フェニルボロン酸構造を有するポリマー（第１のポリマー）に加え、ＯＨ基（炭素原子に結合する水酸基）を有し、フェニルボロン酸構造を有さない第２のポリマーを含むものである場合について中心的に説明する。
【０１５５】
（第２のポリマー）
第２のポリマーは、ＯＨ基（水酸基）を有するものである。
【０１５６】
ＯＨ基は、ポリマーの構成成分としての重合性化合物（モノマー等）を重合させた後に導入されたものであってもよいが、ポリマーの構成成分としての重合性化合物が有するものであるのが好ましい。
【０１５７】
これにより、第２のポリマーが有するＯＨ基の割合等の調整を容易に行うことができる。
【０１５８】
第２のポリマーを構成する、ＯＨ基を有するモノマーとしては、例えば、Ｎ−ヒドロキシエチル（メタ）アクリルアミド、Ｎ−ヒドロキシメチル（メタ）アクリルアミド、Ｎ−ヒドロキシプロピル（メタ）アクリルアミド、Ｎ−ヒドロキシブチル（メタ）アクリルアミド、Ｎ−ヒドロキシペンチル（メタ）アクリルアミド、２，３−ジヒドロキシプロピル（メタ）アクリルアミド、ジヒドロキシブチル（メタ）アクリルアミド、ジヒドロキシペンチル（メタ）アクリルアミド、トリス（ヒドロキシメチル）メチル（メタ）アクリルアミド、２−ヒドロキシ（メタ）アクリレート、２−ヒドロキシエチル（メタ）アクリレート、２−ヒドロキシ１−アクリロキシ−３−メタ（アクリロキシ）プロパン、２−ヒドロキシ１，３−ジメタ（アクリロキシ）プロパン、Ｎ，Ｎ’−（１，２−ジヒドロキシエチレン）ビス（メタ）アクリルアミド、（メタ）アクリルアミドエトキシエタノール、１，４−シクロヘキサンジメタノールモノ（メタ）アクリレート等が挙げられ、これらから選択される１種または２種以上を組み合わせて用いることができるが、第２のポリマーは、Ｎ−ヒドロキシエチルアクリルアミドを構成成分として含むものであるのが好ましい。
【０１５９】
これにより、刺激応答性ゲル４１は、フェニルボロン酸構造とＯＨ基とが結合した第１の状態と、フェニルボロン酸構造とＯＨ基との結合が解除された第２の状態とをより好適に取り得、特定成分の含有率の変化量が小さいものであっても、刺激応答性ゲル４１の体積変化をより大きいものとすることができ、特定成分に対する感度をより優れたものとすることができる。また、刺激応答性ゲル４１の溶媒（特に、水等の極性（親水性）溶媒）の保持力を特に優れたものとすることができ、長期間にわたって安定的に好適なゲル状態を保持することができる。
【０１６０】
また、第２のポリマーは、その構成成分として、ＯＨ基を有さないモノマーを含むものであってもよい。これにより、第２のポリマーが有するＯＨ基の割合等を好適なものに調整することができる。
【０１６１】
第２のポリマーを構成する、ＯＨ基を有さないモノマーとしては、例えば、（メタ）アクリルアミド、Ｎ−メチル（メタ）アクリルアミド、Ｎ−エチル（メタ）アクリルアミド、Ｎ−イソプロピル（メタ）アクリルアミド、Ｎ，Ｎ−ジメチル（メタ）アクリルアミド、Ｎ，Ｎ−ジメチルアミノプロピル（メタ）アクリルアミド、エチレンビス（メタ）アクリルアミド、Ｎ−［３−（ジメチルアミノ）プロピル］（メタ）アクリルアミド、ジアセトン（メタ）アクリルアミド、Ｎ−ｔ−ブチル（メタ）アクリルアミド、Ｎ，Ｎ−ジエチル（メタ）アクリルアミド、Ｎ−（ブトキシメチル）（メタ）アクリルアミド、Ｎ−（イソブトキシメチル）（メタ）アクリルアミド、Ｎ−フェニル（メタ）アクリルアミド、２−（メタ）アクリルアミド−２−メチルスルホン酸、（メタ）アクリルアミドグリコール酸、イソブトキシメチル（メタ）アクリルアミド、（メタ）アクリルアミドエタンカルボン酸、（メタ）アクリルアミドプロパンカルボン酸、（メタ）アクリルアミドブタンカルボン酸、（メタ）アクリルアミドペンタンカルボン酸、（メタ）アクリルアミドヘキサンカルボン酸、（メタ）アクリルアミドヘプタンカルボン酸、（メタ）アクリルアミドオクタンカルボン、（メタ）アクリルアミドエトキシエタノール、Ｎ−ビニルラクトン、（メタ）アクリル酸モノグリセロール、メチルビニルエーテル、無水マレイン酸グリセロールモノ（メタ）アクリレート、Ｎ，Ｎ−ジメチルアミノプロピル（メタ）アクリルアミド各種四級塩、（メタ）アクリロイルモルホリン、Ｎ，Ｎ−ジメチルアミノエチル（メタ）アクリレート各種四級塩、（メタ）アクリル酸、各種アルキル（メタ）アクリレート、１，４−シクロヘキサンジメタノールモノ（メタ）アクリレート、（３−（メタ）アクリルアミドプロピル）トリメチルアンモニウムクロリド、トリメチル−２−（メタ）アクロイルオキシエチルアンモニウムクロリド、りん酸２−（（メタ）アクリロイルオキシ）エチル２−（トリメチルアンモニオ）エチル、（メタ）アクリル酸３−スルホプロピルカリウム、２−（メタ）アクリルアミド−２−メチルプロパンスルホン酸、（メタ）アクリル酸２−（２−エトキシエトキシ）エチル、（メタ）アクリル酸グリシジル、ジ（エチレングリコール）ジビニルエーテル、トリ（エチレングリコール）ジビニルエーテル、ポリ（エチレングリコール）ジビニルエーテル、トリメチロールプロパンエトキシラートトリ（メタ）アクリラート、トリメチロールプロパンプロポキシラートトリ（メタ）アクリラート、Ｎ−［トリス（３−（メタ）アクリルアミドプロポキシメチル）メチル］（メタ）アクリルアミド、ビニルスルホン酸、酢酸ビニル、カルボン酸ビニル（Ｃ３〜Ｃ１０）、Ｎ−ビニルピロリドン、アクリロニトリル、スチレン、ポリエチレングリコールジ（メタ）アクリレート、１，６−ヘキサンジオールジ（メタ）アクリレート、ネオペンチルグリコールジ（メタ）アクリレート、トリプロピレングリコールジ（メタ）アクリレート、ポリプロピレングリコールジ（メタ）アクリレート、２，２−ビス〔４−（（メタ）アクリロキシジエトキシ）フェニル〕プロパン、２，２−ビス〔４−（（メタ）アクリロキシポリエトキシ）フェニル〕プロパン、２，２−ビス〔４−（（メタ）アクリロキシポリプロポキシ）フェニル〕プロパン、エチレングリコールジ（メタ）アクリレート、ジエチレングリコールジ（メタ）アクリレート、トリエチレングリコールジ（メタ）アクリレート、１，３−ブチレングリコールジ（メタ）アクリレート、２，２−ビス〔４−（（メタ）アクリロキシエトキシ）フェニル〕プロパン、２，２−ビス〔４−（（メタ）アクリロキシエトキシジエトキシ）フェニル〕プロパン、２，２−ビス〔４−（（メタ）アクリロキシエトキシポリエトキシ）フェニル〕プロパン、トリメチロールプロパントリ（メタ）アクリレート、テトラメチロールメタントリ（メタ）アクリレート、テトラメチロールメタンテトラ（メタ）アクリレート、ジペンタエリスリトールヘキサ（メタ）アクリレート、Ｎ，Ｎ’−メチレンビス（メタ）アクリルアミド、ジエチレングリコールジアリルエーテル、ジビニルベンゼン、４−（メタ）アクリルアミドベンゾ−１８−クラウン−６−エーテル、アクリロイルアミノベンゾクラウンエーテル、（メタ）アクリロイルアミノベンゾクラウンエーテル、４−ビニルベンゾクラウンエーテル等が挙げられ、これらから選択される１種または２種以上を組み合わせて用いることができる。
【０１６２】
第２のポリマー中におけるＯＨ基を有さないモノマーの含有率は、０．１ｍｏｌ％以上４０ｍｏｌ％以下であるのが好ましく、０．２ｍｏｌ％以上３０ｍｏｌ％以下であるのがより好ましく、０．３ｍｏｌ％以上２０ｍｏｌ％以下であるのがさらに好ましい。
【０１６３】
第２のポリマー中における架橋剤成分の含有率は、０．５ｍｏｌ％以上７．０ｍｏｌ％以下であるのが好ましく、０．８ｍｏｌ％以上６．０ｍｏｌ％以下であるのがより好ましく、１．１ｍｏｌ％以上５．０ｍｏｌ％以下であるのがさらに好ましい。
【０１６４】
これにより、第２のポリマーの架橋度をより好適な範囲にすることができ、前述したような効果をより顕著に発揮しつつ、第２のポリマーの柔軟性をより適切なものとすることができる。
【０１６５】
第２のポリマー中におけるＯＨ基を有するモノマーの含有率は、５４ｍｏｌ％以上９９ｍｏｌ％以下であるのが好ましく、６５ｍｏｌ％以上９８．５ｍｏｌ％以下であるのがより好ましく、７６ｍｏｌ％以上９８ｍｏｌ％以下であるのがさらに好ましい。
【０１６６】
これにより、前述したような第２のポリマーがＯＨ基を有することによる効果をより顕著に発揮させつつ、ＯＨ基を有するモノマー以外の成分（架橋剤、ＯＨ基を有さないモノマー等）の効果を十分に発揮させることができる。
【０１６７】
第２のポリマーの水酸基価は、１５ｍｇＫＯＨ／ｇ以上６２０ｍｇＫＯＨ／ｇ以下であるのが好ましく、３４ｍｇＫＯＨ／ｇ以上７８ｍｇＫＯＨ／ｇ以下であるのがより好ましい。
【０１６８】
これにより、前述したような第２のポリマーがＯＨ基を有することによる効果をより顕著に発揮させつつ、刺激応答性ゲル４１の耐久性を特に優れたものとすることができる。
【０１６９】
刺激応答性ゲル４１中における第２のポリマーの含有率Ｘ２は、０．０５質量％以上９８質量％以下であるのが好ましく、０．１質量％以上７０質量％以下であるのがより好ましい。
【０１７０】
これにより、前述したような刺激応答性ゲル４１を構成する樹脂材料がフェニルボロン酸構造とＯＨ基とを有することによる効果がより効果的に発揮されるとともに、刺激応答性ゲル４１の強度をより優れたものとすることができ、応答部４、液体採取装置１０の耐久性をより優れたものとすることができる。
【０１７１】
また、高分子材料中における第２のポリマーの含有率は、１．０質量％以上９９質量％以下であるのが好ましく、１．５質量％以上９８質量％以下であるのがより好ましい。
【０１７２】
これにより、前述したような刺激応答性ゲル４１を構成する樹脂材料がフェニルボロン酸構造とＯＨ基とを有することによる効果がより効果的に発揮されるとともに、刺激応答性ゲル４１の強度をより優れたものとすることができ、応答部４、液体採取装置１０の耐久性をより優れたものとすることができる。
【０１７３】
刺激応答性ゲル４１中における第１のポリマーの含有率Ｘ１は、０．０１質量％以上７０質量％以下であるのが好ましく、０．０５質量％以上６５質量％以下であるのがより好ましい。
【０１７４】
これにより、刺激応答性ゲル４１の柔軟性をより好適なものとすることができ、所定の物質（特定成分）に対する感度をより優れたものとすることができる。
【０１７５】
また、高分子材料中における第１のポリマーの含有率は、１．０質量％以上７０質量％以下であるのが好ましく、２．０質量％以上６５質量％以下であるのがより好ましい。
【０１７６】
これにより、刺激応答性ゲル４１の柔軟性をより好適なものとすることができ、所定の物質（特定成分）に対する感度をより優れたものとすることができる。
【０１７７】
刺激応答性ゲル４１中における第１のポリマーの含有率をＸ１［質量％］、第２のポリマーの含有率をＸ２［質量％］としたとき、０．２≦Ｘ１／Ｘ２≦８の関係を満足するのが好ましく、１．３≦Ｘ１／Ｘ２≦１．９の関係を満足するのがより好ましい。
【０１７８】
これにより、刺激応答性ゲル４１の柔軟性をより適切なものとすることができ、所定の物質（特定成分）に対する感度をより優れたものとすることができる。
【０１７９】
刺激応答性ゲル４１中には、前述した第１のポリマー、第２のポリマー以外のポリマー（高分子材料）を含むものであってもよい。例えば、分子内に、フェニルボロン酸構造、ＯＨ基のいずれをも有していないポリマーを含むものであってもよい。
【０１８０】
刺激応答性ゲル４１中における高分子材料の含有率は、０．７質量％以上３６．０質量％以下であるのが好ましく、２．４質量％以上２７．０質量％以下であるのがより好ましい。
【０１８１】
＜溶媒＞
刺激応答性ゲル４１が、溶媒を含むものであることにより、前述した高分子材料を好適にゲル化させることができる。
【０１８２】
溶媒としては、各種有機溶媒や無機溶媒を用いることができ、より具体的は、例えば、水；メタノール、エタノール等の各種アルコール；アセトン等のケトン類；テトラヒドロフラン、ジエチルエーテル等のエーテル類；ジメチルホルムアミド等のアミド類；ｎ−ペンタン、ｎ−ヘキサン、ｎ−ヘプタン、ｎ−オクタン等の鎖状脂肪族炭化水素；シクロヘキサン、メチルシクロヘキサン等の脂環式炭化水素；ベンゼン、トルエン、キシレン等の芳香族類等が挙げられるが、特に、水を含むものであるのが好ましい。
【０１８３】
刺激応答性ゲル４１は、溶媒として異なる複数種の成分を含むものであってもよい。
刺激応答性ゲル４１中における溶媒の含有率は、３０質量％以上９５質量％以下であるのが好ましく、５０質量％以上９０質量％以下であるのがより好ましい。
【０１８４】
＜粒子＞
刺激応答性ゲル４１は、例えば、平均粒径が１０ｎｍ以上１０００ｎｍ以下の粒子（微粒子）を含むものであってもよい。
【０１８５】
これにより、ブラッグ反射による構造色を視認することができる。特に、刺激応答性ゲル４１の膨張または収縮に伴い、隣り合う当該粒子の距離が変化し、ブラッグ反射による構造色も変化するため、光学的（視覚的）に所定の物質（特定成分）を検出することができる。また、ブラッグ反射による構造色または構造色の変化が視認されるため、例えば、その色調により、所定の物質（特定成分）の定量も、より容易に、また、より正確に行うことができる。また、刺激応答性ゲル４１の変形（膨張または収縮）を検出するための検出装置を用いなくても、所定の物質（特定成分）の検出、定量を、目視による観察により好適に行うことができる。また、検出装置を用いる場合であっても、微小な形状変化の検出ではなく、色調の変化を検出すればよいため、検出装置として比較的安価なものを利用することができる。
【０１８６】
刺激応答性ゲル４１が粒子を含むものである場合、粒子の平均粒径は、１０ｎｍ以上１０００ｎｍ以下であるのが好ましいが、２０ｎｍ以上５００ｎｍ以下であるのがより好ましい。
これにより、前述したような効果がより顕著に発揮される。
【０１８７】
本明細書において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＣ製ＴＡ−ＩＩ型）にて、５０μｍのアパチャーを用いて測定することにより求めることができる。
【０１８８】
微粒子の構成材料としては、シリカ、酸化チタン等の無機材料；ポリスチレン、ポリエステル、ポリイミド、ポリオレフィン、ポリ（メタ）アクリル酸メチル、ポリエチレン、ポリプロピレン、ポリエーテルスルフォン、ナイロン、ポリウレタン、ポリ塩化ビニル、ポリ塩化ビニリデン等の有機材料（ポリマー）等が挙げられるが、微粒子は、シリカ微粒子であるのが好ましい。
【０１８９】
これにより、微粒子の形状の安定性等を特に優れたものとし、応答部４、液体採取装置１０の耐久性、信頼性等を特に優れたものとすることができる。また、シリカ微粒子は、粒度分布がシャープなもの（単分散微粒子）として入手が比較的容易であるため、応答部４、液体採取装置１０の安定的な生産、供給の観点からも有利である。
【０１９０】
微粒子の形状は、特に限定されないが、球状であるのが好ましい。これにより、コロイド結晶による構造色が容易に視認でき、特定成分の定量をより容易に行うことができる。
【０１９１】
刺激応答性ゲル４１は、異なる複数種の微粒子を含むものであってもよい。
刺激応答性ゲル４１中における微粒子の含有率は、１．６質量％以上３６質量％以下であるのが好ましく、４．０質量％以上２４質量％以下であるのがより好ましい。
【０１９２】
これにより、刺激応答性ゲル４１が微粒子を含むことによる前述したような効果がより顕著に発揮される。
【０１９３】
＜導電性物質＞
刺激応答性ゲル４１は、例えば、導電性物質を含むものであってもよい。
【０１９４】
これにより、刺激応答性ゲル４１の膨張収縮状態に応じて、刺激応答性ゲル４１中に含まれる導電性物質同士の距離を異なるものとすることができ、その結果、刺激応答性ゲル４１の抵抗値（抵抗率）を異なるものとすることができる。すなわち、刺激応答性ゲル４１が膨張した状態（または膨張の程度が大きい状態）では、刺激応答性ゲル４１が収縮した状態（または膨張の程度が小さい状態）に比べて導電性物質同士の距離（平均距離）が大きくなるため、刺激応答性ゲル４１の抵抗値（抵抗率）が大きくなる。したがって、刺激応答性ゲル４１の抵抗値（抵抗率）を求めることにより、刺激応答性ゲル４１の膨張収縮状態、すなわち、刺激の強さ（特定成分の濃度等）を容易かつ安定的に判断することができる。
【０１９５】
刺激応答性ゲル４１が導電性物質を含むものである場合、センサーに図示しない電極を接続することにより、特定成分を検出することができる。
【０１９６】
刺激応答性ゲル４１が導電性物質を含むものである場合、導電性物質は、いかなる形態で含まれるものであってもよく、例えば、溶解状態等で含まれるものであってもよいが、粒子として含まれるのが好ましい。
【０１９７】
これにより、導電性物質の選択の幅が広がる。また、刺激応答性ゲル４１の膨張収縮状態による刺激応答性ゲル４１の抵抗値（抵抗率）の変化率をより安定的なものとすることができ、検出の精度をより優れたものとすることができる。
【０１９８】
刺激応答性ゲル４１中に含まれる導電性物質としては、例えば、金属材料（例えば、Ａｕ、Ａｇ、Ｐｔ、Ｃｕやこれらのうち少なくとも１種を含む合金等）、導電性金属酸化物（例えば、ＩＴＯ等）、炭素材料（例えば、カーボンブラック等）、導電性高分子材料（例えば、ＰＥＤＯＴ／ＰＳＳ、ポリチオフェン系、ポリアセチレン系等）等が挙げられる。
【０１９９】
このような導電性物質を含むことにより、応答部４の耐久性を優れたものとしつつ、刺激応答性ゲル４１の膨張または収縮に伴う前記抵抗値の変化率をより大きいものとすることができ、刺激の検出精度をより優れたものとすることができる。また、これらの材料は、比較的安価で、安定的に入手することが可能なので、応答部４、液体採取装置１０の生産コストの抑制、安定供給の点からも有利である。
【０２００】
特に、刺激応答性ゲル４１中に含まれる導電性物質がＩＴＯ等の透明材料である場合、前述したような粒子（構造色の発現に寄与する粒子）が関与する構造色の識別が容易となり、刺激の検出をより好適に行うことができる。
【０２０１】
刺激応答性ゲル４１中に含まれる導電性物質の電気抵抗率は、１．０×１０−３Ω・ｍ以下であるのが好ましく、１．０×１０−４Ω・ｍ以下であるのがより好ましく、５．０×１０−５Ω・ｍ以下であるのがさらに好ましい。
【０２０２】
これにより、刺激応答性ゲル４１の膨張または収縮に伴う前記抵抗値の変化率をより大きいものとすることができ、刺激の検出精度をより優れたものとすることができる。
【０２０３】
刺激応答性ゲル４１中に含まれる導電性物質の屈折率は、１．０以上１．８以下であるのが好ましく、１．１以上１．７以下であるのがより好ましい。
【０２０４】
これにより、前述したような粒子（構造色の発現に寄与する粒子）が関与するブラッグ反射による構造色の視認性をより優れたものとすることができる。
【０２０５】
導電性物質を含む材料で構成された粒子を含む場合、当該粒子は、各部位で均一な組成を有するものであってもよいし、異なる組成の部位を有するものであってもよい。
【０２０６】
例えば、前記粒子（導電性物質を含む材料で構成された粒子）は、コア部と、コア部の外表面側に設けられた少なくとも１層の被膜を有するもの等であってもよい。
【０２０７】
導電性物質を含む材料で構成された粒子を含む場合、当該粒子は、球状、紡錘形状、針状（棘状）、板状（鱗片状）、赤血球様の円盤状等、いかなる形状のものであってもよいが、球状をなすものであるのが好ましい。
これにより、検出される電気抵抗率の信頼性がより優れたものとなる。
【０２０８】
導電性物質を含む材料で構成された粒子を含む場合、当該粒子の平均粒径は、特に限定されないが、１０ｎｍ以上１０００μｍ以下であるのが好ましく、２０ｎｍ以上５００μｍ以下であるのがより好ましい。
【０２０９】
これにより、刺激応答性ゲル４１中において、前記粒子をより均一に分散させることができ、刺激の検出精度をより優れたものとすることができる。
【０２１０】
＜その他の成分＞
刺激応答性ゲル４１は、前述した以外の成分（その他の成分）を含むものであってもよい。
【０２１１】
このような成分としては、例えば、着色剤、スリップ剤（レベリング剤）、防黴剤、防腐剤、酸化防止剤、保湿剤等が挙げられる。
【０２１２】
《液体採取装置の用途》
次に、液体採取装置の用途について、具体例を挙げつつ説明する。
【０２１３】
液体採取装置は、被着体に装着して用い液体を採取するものであればいかなる用途のものであってもよいが、例えば、生体に装着して体液（汗、涙、唾液等の液体）を採取するものであってもよい。
【０２１４】
これにより、生体情報等を好適に取得することができる。特に、汗、涙、唾液等の液体を採取する場合、非侵襲的手法により、生体情報等を好適に取得することができる。特に、前述したような刺激応答性ゲルを含む応答部（ゲルセンサー）を採用することにより、乳酸、糖類（例えば、グルコース等）等の各種化合物に関する情報を好適に得ることができる。
【０２１５】
特に、液体採取装置が汗を採取するものである場合、例えば、液体採取装置を腕等に装着してジョギング等の運動を行うことで、随時、乳酸等の特定成分の量を確認することができる。その結果、液体採取装置の装着者の疲労状態等を随時確認することができる。
【０２１６】
また、液体採取装置が、生体に装着して体液を採取するものである場合、例えば、小型であること（例えば、ジョギング等の運動時において、邪魔にならない大きさであること）、振動等が加わった場合であっても液体を好適に採取すること、生体情報を安定的に得ることができること等が求められるが、本適用例によれば、これらの要求を満たすことができる。
【０２１７】
また、液体採取装置は、例えば、細胞培養モニター、発酵モニター等として用いられるものであってもよい。
【０２１８】
細胞培養を行う際、系内に乳酸のような酸性物質を蓄積されていくと、培養液の酸性度が高まり、培養細胞がダメージを受けることがある。これに対し、液体採取装置を用いることで、乳酸のような酸性物質を特定成分として好適に検出することができるため、細胞培養モニターに好適に適用することができる。
【０２１９】
また、漬物、ヨーグルト等の発酵食品の製造等には、乳酸発酵等が利用されている。したがって、発酵により生成された成分（乳酸等）を検出することができれば、発酵の進行度を好適に判断することができ、発酵の程度を好適に制御することができる。
【０２２０】
これに対し、液体採取装置を用いることで、乳酸のような発酵により生成される成分を特定成分として好適に検出することができるため、発酵モニターに好適に適用することができる。
【０２２１】
《測定装置》
次に、測定装置について説明する。
【０２２２】
［第１実施形態］
図５は、第１実施形態に係る測定装置の構成を模式的に示す縦断面図、図６は、図５に示す測定装置の概略の回路構成を示す図である。
【０２２３】
本実施形態の測定装置１００は、前述したような液体を採取する採取部１、採取部１を冷却する冷却部２、および、前記液体に含まれる所定の成分に応答する応答部４を有する液体採取装置１０を備えている。
【０２２４】
また、本実施形態では、応答部４を構成する刺激応答性ゲル４１が前述した粒子を含み、ブラッグ反射による構造色を呈するものであり、特定成分の刺激による刺激応答性ゲル４１の膨張または収縮に伴い構造色が変化するものである。
【０２２５】
そして、本実施形態の測定装置１００では、光学的手法を用いて、液体中に含まれる特定成分の含有率に関する情報を表示部７１に表示させることができるものである。
【０２２６】
本実施形態の測定装置１００は、液体採取装置１０に加え、液体採取装置１０の上部に着脱自在に取付けられる装置本体３０を備えている。
【０２２７】
装置本体３０は、表示部７１と、操作部７２と、電源部７３と、回路部７４と、光学検出部７５と、これらを収容する収容部としての外装部７６とを備えている。
【０２２８】
外装部７６は円筒状をなすものである。外装部７６は、下端部に引掛け部７６１が複数形成されている。また、液体採取装置１０の収容部３のケース外面には、引掛け部７６１に対応する位置に、凸部３３が形成されている。外装部７６を液体採取装置１０の上部から、案内部（図示せず）に沿って、収容部３を覆うように押し込むことにより、引掛け部７６１が凸部３３に引っ掛かり、外装部７６が液体採取装置１０に装着される。なお、装着方法は引掛け構造に限定されない。装着方法としては、例えば、収容部３の上面３４の外周部に、外装部７６を粘着部材等により貼着させる方法を採用してもよい。
【０２２９】
外装部７６の底面部７６ａには、底面部７６ａの下側に位置する刺激応答性ゲル４１の色変化を光学的に検出する光学検出部７５が設置されている。底面部７６ａの上部には、回路部７４が設置されている。
【０２３０】
回路部７４は、回路基板７４１を備えている。回路基板７４１には、光学検出部７５や表示部７１の駆動や制御を行い、また、変換部や演算部等を構成するための電気回路系が設置されている。
【０２３１】
電気回路系は、複数の電気素子により構成されている。なお、変換部は、光学検出部７５で検出したデータ信号を変換する。また、演算部は、データ信号に基づき液体に含まれる特定成分の量（含有率）を演算する。
【０２３２】
回路部７４を構成する電気回路系と並んで、蓄電池で構成される電源部７３が設置されている。なお、蓄電池への充電を行う電源コネクター（図示せず）は、外装部７６に露出して固定されている。
【０２３３】
回路部７４の上部には、演算部での演算結果としての特定成分の含有率（乳酸値等）を表示する例えば液晶パネルで構成される表示部７１が設置されている。表示部７１には、液体中における特定成分の含有率の他、各種情報（計測状態等）が表示される。
【０２３４】
また、回路部７４の上部には、回路部７４に各種指示を行う例えばキースイッチで構成される操作部７２が設置されている。指示操作には、特定成分についての計測開始／終了指示などがある。
【０２３５】
光学検出部７５は、光源部７５１と受光部７５３とを備えて構成されている。光源部７５１は、刺激応答性ゲル４１に向けて白色光を照射する白色光源７５２を備えている。白色光源７５２としては、例えば、ＬＥＤ（Light・Emitting・Diode）等を用いることができる。
【０２３６】
受光部７５３は、光源部７５１で刺激応答性ゲル４１に白色光を照射した際に刺激応答性ゲル４１で反射する反射光を各色光（赤色光、緑色光、青色光）毎に検出する検出センサーを備えている。より具体的には、受光部７５３は、赤色光を検出する赤色光用検出センサー７５３Ｒ、緑色光を検出する緑色光用検出センサー７５３Ｇ、および、青色光を検出する青色光用検出センサー７５３Ｂを備えている。検出センサーは、フォトトランジスター、色フィルター、集光レンズ等により構成されている。
【０２３７】
なお、光源部７５１（白色光源７５２）から照射された白色光は、透明な材料（例えば、樹脂材料）で構成される収容部３の上面３４から入射して、刺激応答性ゲル４１を照射する。そして、刺激応答性ゲル４１の構造色を反映した反射光が、上面３４から射出されて、受光部７５３（赤色光用検出センサー７５３Ｒ、緑色光用検出センサー７５３Ｇ、青色光用検出センサー７５３Ｂ）を照射する。
【０２３８】
測定装置１００は、電気回路系として、測定装置１００の全体の動作を制御する制御部８３、各種情報を記憶する記憶部８４、光源駆動部８５、受光量測定部８６、Ａ／Ｄ変換部８７、表示部７１、および、操作部７２を備えている。
【０２３９】
光源駆動部８５、受光量測定部８６、Ａ／Ｄ変換部８７、表示部７１、および操作部７２は、入出力インターフェイス８１およびデータバス８２を介して制御部８３に接続されている。なお、制御部８３は、プロセッサーとして各種の演算処理を行うＣＰＵ（Central・Processing・Unit）等で構成されている。
【０２４０】
光源駆動部８５は、光源部７５１と接続され、白色光源７５２を駆動する。光源駆動部８５は、制御部８３と接続されており、制御部８３の指示により白色光源７５２の点灯、消灯および光量を制御する。
【０２４１】
受光量測定部８６は、受光部７５３（赤色光用検出センサー７５３Ｒ、緑色光用検出センサー７５３Ｇ、青色光用検出センサー７５３Ｂ）と接続されている。そして、受光量測定部８６が各検出センサー（赤色光用検出センサー７５３Ｒ、緑色光用検出センサー７５３Ｇ、青色光用検出センサー７５３Ｂ）を駆動する。
【０２４２】
赤色光用検出センサー７５３Ｒは、刺激応答性ゲル４１の表面で反射した反射光のうち赤色成分の輝度を示す信号を受光量測定部８６に出力する。同様に、緑色光用検出センサー７５３Ｇは、刺激応答性ゲル４１の表面で反射した反射光のうち緑色成分の輝度を示す信号を受光量測定部８６に出力する。青色光用検出センサー７５３Ｂは、刺激応答性ゲル４１の表面で反射した反射光のうち青色成分の輝度を示す信号を受光量測定部８６に出力する。
【０２４３】
受光量測定部８６は、各色光の輝度を示す信号を入力してＡ／Ｄ変換部８７に出力する。Ａ／Ｄ変換部８７は、各色光の輝度を示すデータを制御部８３に出力する。受光部７５３、受光量測定部８６、およびＡ／Ｄ変換部８７が、変換部に相当する。
【０２４４】
記憶部８４には、プログラムソフト８４１および相関表８４２等が記憶されている。プログラムソフト８４１には、測定装置１００の動作の制御手順が記述されている。相関表８４２には、刺激応答性ゲル４１の色調と、特定成分の含有率との関係を示すデータが記載されている。
【０２４５】
制御部８３は、記憶部８４内に記憶されたプログラムソフト８４１に従って、特定成分の含有率を測定する制御を行う。より具体的には、制御部８３は、色調検出部８３１を有する。色調検出部８３１は、光源駆動部８５を駆動させて白色光源７５２を点灯させる。受光量測定部８６は、各色光用の検出センサー（赤色光用検出センサー７５３Ｒ、緑色光用検出センサー７５３Ｇ、青色光用検出センサー７５３Ｂ）から各色光の輝度信号を入力してＡ／Ｄ変換部８７に出力する。Ａ／Ｄ変換部８７は、各色光の輝度データを制御部８３に出力する。色調検出部８３１は、各色光の輝度データを用いて刺激応答性ゲル４１の色調を演算する。
【０２４６】
また、制御部８３は、液体中に含まれる特定成分の含有率に関する情報を得る特定成分含有量演算部８３２を有する。特定成分含有量演算部８３２は、色調検出部８３１から刺激応答性ゲル４１の色調のデータを入力する。
【０２４７】
そして、刺激応答性ゲル４１の色調のデータおよび相関表８４２を参照して特定成分の含有率を演算する。
【０２４８】
制御部８３は、特定成分含有量演算部８３２が演算した特定成分の含有率に関する情報を表示部７１に出力する制御を行う。
【０２４９】
さらに、本実施形態では、制御部８３は、推移する特定成分の含有率を順次演算し、表示部７１に特定成分の含有率の推移を示すグラフを表示させる。ユーザーは、表示部７１を見て、特定成分の含有率および特定成分の含有率の推移を確認することができる。さらに、制御部８３は、操作部７２から入力された信号に応じて測定装置１００の動作を制御する。なお、色調検出部８３１および特定成分含有量演算部８３２が演算部に相当する。
【０２５０】
上記のように、本実施形態の測定装置１００は、液体を採取する採取部１、採取部１を冷却する冷却部２、および、前記液体に含まれる所定の成分に応答する応答部４を備える液体採取装置１０と、応答部４の変化をデータ信号に変換して出力する変換部（受光部７５３、受光量測定部８６、および、Ａ／Ｄ変換部８７）と、前記変換部が出力する前記データ信号から前記液体に含まれる前記所定の成分の量を演算する演算部（色調検出部８３１および特定成分含有量演算部８３２）と、前記演算部での演算結果を表示する表示部７１とを備えている。
【０２５１】
これにより、微量の液体であっても、当該液体中に含まれる所定の成分（特定成分）を検出することができる測定装置１００を提供することができる。特に、非侵襲的手法を用いて、液体中に含まれる特定成分の含有率を連続的に計測して、特定成分の含有率に関する情報を表示部７１に表示させることができる。また、特定成分の含有率の経時的な変化等を表示部７１に表示させることもできる。
【０２５２】
［第２実施形態］
次に、第２実施形態の測定装置について説明する。
【０２５３】
図７は、第２実施形態に係る測定装置の構成を模式的に示す縦断面図、図８は、図７に示す測定装置の概略の回路構成を示す図である。以下の説明では、前述した実施形態との相違点について中心的に説明し、同様の事項についての説明は省略する。
【０２５４】
前述した実施形態の測定装置１００では、特定成分の含有率を刺激応答性ゲル４１の構造色（色）により検出していたのに対し、本実施形態の測定装置１００では、特定成分の含有率を刺激応答性ゲル４１の導電率により検出する。
【０２５５】
刺激応答性ゲル４１は、上述したように、液体中の特定成分と反応し、特定成分の含有率により膨張および収縮の程度が異なる。刺激応答性ゲル４１が膨張および収縮して形態を変化させることにより、刺激応答性ゲル４１の導電率が変化する。
【０２５６】
したがって、刺激応答性ゲル４１の内部に一対の電極３５を設置し、その電極間の抵抗を計測することにより、刺激応答性ゲル４１の内部に浸透した特定成分の含有率を求めることができる。
【０２５７】
なお、電極３５の材料は、導電性があり耐食性のある材質であればよく、例えば、ニッケルや金めっき処理を施した銅の他、白金、金、銀等の金属や炭素等を好適に用いることができる。
【０２５８】
また、前述した実施形態の測定装置１００が光学検出部７５を備えていたのに対し、本実施形態の測定装置１００では、光学検出部７５の代わりに抵抗検出部７９を備えている。これに伴い、回路部７４に替えて回路部７８を備えている。
【０２５９】
また、本実施形態の測定装置１００では、収容部３の上面３４から刺激応答性ゲル４１の内部に挿入される一対の電極３５が設置された構成となっている。また、上面３４には、回路部７８に設置されるコネクター７８３に接続するためのコネクター３６が設置されている。このコネクター３６は、２つの電極３５とリード線（図示せず）により電気的に接続されている。
【０２６０】
測定装置１００は、電気回路系として、測定装置１００の全体の動作を制御する制御部８３、各種情報を記憶する記憶部８４、導電率測定部８８、Ａ／Ｄ変換部８７、表示部７１、および、操作部７２を備えている。導電率測定部８８、Ａ／Ｄ変換部８７、表示部７１、および、操作部７２は、入出力インターフェイス８１およびデータバス８２を介して制御部８３に接続されている。
【０２６１】
導電率測定部８８は、刺激応答性ゲル４１に設置された一対の電極３５に電圧を印加し、電極３５間に流れる電流を検出する。刺激応答性ゲル４１に含まれる特定成分の量（含有率）に応じて刺激応答性ゲル４１の導電率が変わる。したがって、導電率測定部８８が刺激応答性ゲル４１に流れる電流を検出することにより、特定成分の含有率に対応した刺激応答性ゲル４１の導電率を検出することができる。
【０２６２】
Ａ／Ｄ変換部８７は、導電率測定部８８が検出した刺激応答性ゲル４１の導電率をデジタルのデータ信号に変換して出力する。導電率測定部８８およびＡ／Ｄ変換部８７により変換部が構成されている。
【０２６３】
記憶部８４には、プログラムソフト８４１、相関表８４２等が記憶されている。プログラムソフト８４１には、測定装置１００の動作の制御手順が記述されている。相関表８４２には、刺激応答性ゲル４１の導電率と特定成分の含有率との関係を示すデータが記載されている。
【０２６４】
制御部８３は、記憶部８４内に記憶されたプログラムソフト８４１に従って、特定成分の含有率を測定する制御を行う。具体的には、制御部８３は、演算部としての特定成分含有量演算部８３２を有する。特定成分含有量演算部８３２は、Ａ／Ｄ変換部８７から導電率のデータ信号を入力する。そして、データ信号の値および相関表８４２を参照して特定成分の含有率を演算する。
【０２６５】
他にも、制御部８３は、導電率測定部８８が電極３５に出力する電圧値を制御する。また、制御部８３は、特定成分含有量演算部８３２が演算した特定成分の含有率に関する情報を表示部７１に出力する制御を行う。
【０２６６】
さらに、本実施形態では、制御部８３は、推移する特定成分の含有率を順次演算し、表示部７１に特定成分の含有率の推移を示すグラフを表示させる。ユーザーは、表示部７１を見て、特定成分の含有率および特定成分の含有率の推移を確認することができる。さらに、制御部８３は、操作部７２から入力された信号に応じて測定装置１００の動作を制御する。
以上、好適な実施形態について説明したが、これらに限定されるものではない。
【０２６７】
例えば、液体採取装置、測定装置は、前述した以外の構成を備えるものであってもよい。
【０２６８】
例えば、液体採取装置や測定装置は、液体採取装置や測定装置の本体部を被着体に固定する機能を有する固定用部材（例えば、固定用バンド（固定用ベルト）等）を備えるものであってもよい。
【０２６９】
また、前述した実施形態では、センサーを構成する刺激応答性ゲルは、液体採取装置の使用前の状態においても、ゲル状態をなすものである場合について代表的に説明したが、刺激応答性ゲルは、液体採取装置の使用時にゲル状態をなすものであればよく、例えば、液体採取装置の保存時等においては、ゲル状態をなしていないもの（例えば、乾燥状態のもの）であってもよい。このような場合、例えば、液体採取装置の使用に先立ち、ゲル材料の溶媒を構成すべき液体等を付与することにより、ゲル状態をなすものとすることができる。
【０２７０】
また、前述した実施形態では、液体採取装置がゲルセンサーを備えるものである場合について中心的に説明したが、液体採取装置が備えるセンサーは、ゲルセンサー以外のセンサーであってもよい。また、液体採取装置は、センサー（応答部）を備えていないものであってもよい。
【０２７１】
また、前述した実施形態では、溶解熱が負の値である材料を溶解し得る溶媒が、冷却部の内部にカプセルとして含まれる場合、被着体側から供給される場合について代表的に説明したが、溶媒は、被着体に対向する面とは反対側から供給されるものであってもよいし、側面方向から供給されるものであってもよい。
【０２７２】
また、前述した実施形態では、冷却部が、溶解熱が負の値である材料を含むものである場合について中心的に説明したが、冷却部は、このような構成のものに限定されず、熱交換器によって、採取部を冷却するものであってもよい。
【符号の説明】
【０２７３】
１００…測定装置、１０…液体採取装置、１０１…本体、３０…装置本体、１…採取部、１１…第１の開口部、１２…第２の開口部、１３…毛細管部分、２…冷却部、２０…ケーシング、２１…材料（溶解熱が負の値である材料）、２２…カプセル、２３…孔部、３…収容部（保持部）、３１…筒体、３１１…雌ねじ部、３２…リークバルブ、３３…凸部、３４…上面、３５…電極、３６…コネクター、４…応答部（センサー）、４１…刺激応答性ゲル、５…粘着部材、５１…基材、５２…粘着剤層、６１…ピストン、６１１…雄ねじ部、６２…操作部、６３…コンロッド、７１…表示部、７２…操作部、７３…電源部、７４…回路部、７４１…回路基板、７５…光学検出部、７５１…光源部、７５２…白色光源、７５３…受光部、７５３Ｒ…赤色光用検出センサー、７５３Ｇ…緑色光用検出センサー、７５３Ｂ…青色光用検出センサー、７６…外装部、７６ａ…底面部、７６１…引掛け部、７８…回路部、７８３…コネクター、７９…抵抗検出部、８１…入出力インターフェイス、８２…データバス、８３…制御部、８３１…色調検出部、８３２…特定成分含有量演算部、８４…記憶部、８４１…プログラムソフト、８４２…相関表、８５…光源駆動部、８６…受光量測定部、８７…Ａ／Ｄ変換部、８８…導電率測定部、Ｓ…被着体
【図１】
2017187358.tif 000003
【図２】
2017187358.tif 000004
【図３】
2017187358.tif 000005
【図４】
2017187358.tif 000006
【図５】
2017187358.tif 000007
【図６】
2017187358.tif 000008
【図７】
2017187358.tif 000009
【図８】
2017187358.tif 000010